(57)【特許請求の範囲】
【請求項１】
互いに直交する前後方向及び幅方向と、
着用者の股下に配置される股下域と、
前記股下域の後側に位置する後側域と、
前記股下域と前記後側域に配置される吸収体と、
前記吸収体の肌対向面側に配置される表面シートと、
下着に対して着脱可能に係合する係合部と、を有する吸収性物品であって、
前記吸収体は、吸収材料を有する吸収コアと、前記吸収コアを覆う不織布からなるコアラップと、を有し、
前記表面シートは、不織布からなる第１層と、前記第１層よりも非肌対向面側に配置され、かつ前記第１層よりも径の太い繊維を含む不織布からなる第２層と、を有し、
前記後側域は、圧搾部が配置される圧搾領域と、前記圧搾部が配置されていない非圧搾領域と、を有し、
前記圧搾部は、前記吸収コアと前記表面シートに設けられており、
前記非圧搾領域は、前記幅方向に沿って前記吸収体の一端から他端まで連続的に延びており、
前記後側域の前記吸収コアは、低目付部と、前記低目付部よりも目付が高い高目付部と、を有し、
前記後側域には、前方から前記圧搾領域、前記非圧搾領域、前記圧搾領域が交互に配置されており、
前記非圧搾領域では、前記前後方向において、前記低目付部と前記高目付部が交互に配置されている、吸収性物品。
【請求項２】
前記非圧搾領域よりも後側に配置された前記圧搾領域には、前記低目付部が設けられていない、請求項１に記載の吸収性物品。
【請求項３】
互いに直交する前後方向及び幅方向と、
着用者の股下に配置される股下域と、
前記股下域の後側に位置する後側域と、
前記股下域と前記後側域に配置される吸収体と、
前記吸収体の肌対向面側に配置される表面シートと、
下着に対して着脱可能に係合する係合部と、を有する吸収性物品であって、
前記吸収体は、吸収材料を有する吸収コアと、前記吸収コアを覆う不織布からなるコアラップと、を有し、
前記表面シートは、不織布からなる第１層と、前記第１層よりも非肌対向面側に配置され、かつ前記第１層よりも径の太い繊維を含む不織布からなる第２層と、を有し、
前記後側域は、圧搾部が配置される圧搾領域と、前記圧搾部が配置されていない非圧搾領域と、を有し、
前記圧搾部は、前記吸収コアと前記表面シートに設けられており、
前記非圧搾領域は、前記幅方向に沿って前記吸収体の一端から他端まで連続的に延びており、
前記後側域において、前記股下域の前記吸収コアの外側縁よりも前記幅方向の外側に延びるヒップフラップを有し、
前記非圧搾領域は、前記ヒップフラップの最大幅の位置から前記幅方向に延びる仮想線上に配置され、
前記幅方向における前記ヒップフラップの最大幅の位置は、前記前後方向における前記後側域の中央よりも後側に位置しており、
前記圧搾領域は、前記幅方向における前記ヒップフラップの最大幅の位置よりも後側に配置される、吸収性物品。
【請求項４】
前記後側域の前記吸収コアは、低目付部と、前記低目付部よりも目付が高い高目付部と、を有し、
前記非圧搾領域は、前記低目付部及び前記高目付部に重なる、請求項３に記載の吸収性物品。
【請求項５】
前記低目付部は、前記幅方向に延びる幅低目付部を有し、
前記幅低目付部は、前記前後方向に間隔を空けて複数配置される、請求項１、２及び４のいずれか１項に記載の吸収性物品。
【請求項６】
前記低目付部は、前記前後方向に沿って延びる前後低目付部を有し、
前記前後低目付部は、前記非圧搾領域に重なって配置される、請求項１、２、４及び５のいずれか１項に記載の吸収性物品。
【請求項７】
前記非圧搾領域の前記前後方向の長さは、３０ｍｍ以上である、請求項１から請求項６のいずれかに記載の吸収性物品。
【請求項８】
前記第１層を構成する繊維の径は、２．０ｄｔｅｘ未満である、請求項１から請求項７のいずれに記載の吸収性物品。
【請求項９】
前記コアラップの幅方向中央は、前記吸収コアの肌対向面側に配置され、
前記コアラップの展開状態における前記コアラップの外側縁は、前記吸収コアの肌対向面側又は前記吸収コアの外側縁よりも幅方向外側に配置される、請求項１から請求項８のいずれかに記載の吸収性物品。
【発明の詳細な説明】
【技術分野】
【０００１】
本発明は、生理用ナプキン等の吸収性物品に関する。
【背景技術】
【０００２】
従来、股下域と、股下域の後側に位置する後側域と、股下域と後側域に配置される吸収体と、吸収性物品の肌対向面に配置される表面シートと、下着に対して着脱可能に係合する係合部と、を有する吸収性物品が知られている（例えば、特許文献１参照）。
【０００３】
着用者は、一般的に、特許文献１の吸収性物品を下着に装着する際に、着用者の股下に配置される股下域を下着に固定した後、後側域を下着に固定する。このとき、着用者は、例えば、股下域の表面シートに手を当てた後に、手を後方にスライド移動し、吸収性物品を下着に押し付けて固定する。
【先行技術文献】
【特許文献】
【０００４】
【特許文献１】特表２００８−５２０４０１号公報
【発明の概要】
【発明が解決しようとする課題】
【０００５】
本出願人が調査したところ、着用者は、装着時の吸収性物品の肌対向面を指でなぞったときの感触によって、吸収性物品に対する期待感を得ており、当該期待感が装着時の装着感に影響することがわかった。
【０００６】
特許文献１の吸収性物品においては、股下域の表面シートに当てた手を後方にスライド移動する際に、後側域に設けられた圧搾部に指が当たる。着用者は、装着時に圧搾部の硬さを感じ、吸収性物品に対して柔らかい印象を持ち難いことがあった。そのため、着用者が吸収性物品の付け心地に対する期待感を得難く、装着感に悪影響を与えることがあった。
【０００７】
本発明は、上述の課題に鑑みてなされたものであり、着用者が装着前に吸収性物品の柔らかさを把握し、着用者が吸収性物品の付け心地に対する期待感を得ることができる吸収性物品を提供することを目的とする。
【０００８】
本開示に係る吸収性物品は、互いに直交する前後方向（前後方向Ｌ）及び幅方向（幅方向Ｗ）と、着用者の股下に配置される股下域（股下域Ｓ１）と、前記股下域の後側に位置する後側域（後側域Ｓ３）と、前記股下域と前記後側域に配置される吸収体（吸収体３０）と、前記吸収体の肌対向面側に配置される表面シート（表面シート１１）と、下着に対して着脱可能に係合する係合部（粘着部６０）と、を有する吸収性物品であって、前記吸収体は、吸収材料を有する吸収コア（吸収コア３１）と、前記吸収コアを覆う不織布からなるコアラップ（コアラップ３２）と、を有し、前記表面シートは、不織布からなる第１層（第１層１１１）と、前記第１層よりも非肌対向面側に配置され、かつ前記第１層よりも径の太い繊維を含む不織布からなる第２層（第２層１１２）と、を有し、前記後側域は、圧搾部が配置される圧搾領域（圧搾領域５１）と、前記圧搾部が配置されていない非圧搾領域（非圧搾領域５２）と、を有し、前記圧搾部は、前記吸収コアと前記表面シートに設けられており、前記非圧搾領域は、前記幅方向に沿って前記吸収体の一端から他端まで連続的に延びる。
【発明の効果】
【０００９】
本開示によれば、着用者が装着前に吸収性物品の柔らかさを把握し、着用者が吸収性物品の付け心地に対する期待感を得ることができる吸収性物品を提供することができる。
【図面の簡単な説明】
【００１０】
【図１】一実施形態における吸収性物品の平面図である。
【図２】図１とは反対側から見た吸収性物品の平面図である。
【図３】図１のＡ−Ａ線に沿った吸収性物品の断面図である。
【図４】表面シートの模式断面図である。
【図５】圧搾領域と非圧搾領域を示す吸収性物品の平面図である。
【図６】使用中の吸収性物品の模式的斜視図である。
【発明を実施するための形態】
【００１１】
以下、図面を参照して、実施形態に係る吸収性物品ついて説明する。吸収性物品は、パンティーライナー（おりものシート）や生理用ナプキンや失禁パッド等の任意の吸収性物品であってよい。以下の実施形態では、吸収性物品の一例として使い捨ての生理用ナプキンについて説明する。
【００１２】
なお、以下の図面の記載において、同一又は類似の部分には、同一又は類似の符号を付している。ただし、図面は模式的なものであり、各寸法の比率等は現実のものとは異なる場合があることに留意すべきである。したがって、具体的な寸法等は、以下の説明を参酌して判断すべきである。また、図面相互間においても互いの寸法の関係や比率が異なる部分が含まれ得る。
【００１３】
（１）吸収性物品の全体的構成
図１は、一実施形態における吸収性物品の平面図である。図２は、図１とは反対側から見た吸収性物品の平面図である。図３は、図１のＡ−Ａ線に沿った吸収性物品の断面図である。
【００１４】
吸収性物品１は、前後方向Ｌと幅方向Ｗと厚み方向Ｔとを有する。前後方向Ｌは、着用者の前側（腹側）から後側（背側）に延びる方向、又は着用者の後側から前側に延びる方向である。幅方向Ｗは、前後方向Ｌと直交する方向である。厚み方向Ｔは、着用者の肌対向面側Ｔ１から非肌対向面側Ｔ２へ延びる方向であり、前後方向Ｌ及び幅方向Ｗに直交する方向である。肌対向面側Ｔ１は、使用時に、着用者の肌に面する側に相当する。非肌対向面側Ｔ２は、使用時に、肌対向面側Ｔ１とは反対側、すなわち着用者の肌とは反対に向けられる側に相当する。
【００１５】
吸収性物品１は、股下域Ｓ１、前側域Ｓ２及び後側域Ｓ３を有する。股下域Ｓ１は、着用者の排泄口（例えば膣口）に対向する領域である。吸収性物品が下着に装着されたときに、股下域Ｓ１は、下着の股下部に位置する。つまり、股下域は、着用者の股下、すなわち着用者の両足の間に配置される領域である。
【００１６】
前側域Ｓ２は、股下域Ｓ１よりも前側に位置する。前側域Ｓ２の前端縁は吸収性物品１の前端縁を規定する。後側域Ｓ３は、股下域Ｓ１よりも後側に位置する。後側域Ｓ３の後端縁は吸収性物品１の後端縁を規定する。後側域Ｓ３の前後方向Ｌの長さは、股下域Ｓ１の前後方向Ｌの長さよりも長くなっていてよい。
【００１７】
股下域Ｓ１には、後述するウイング３が設けられていてよい。また、後側域Ｓ３には、幅方向Ｗの外側に膨らんだヒップフラップ４が設けられていてよい。
【００１８】
ウイング３の前端縁は、ウイング３の付け根によって規定されており、最も幅方向Ｗの内側に窪んだ２つの部分のうち、前側に位置する部分に相当する。ウイング３の前端縁は、股下域Ｓ１と前側域Ｓ２との境界を規定していてもよい。ウイング３の後端縁は、ウイング３の付け根によって規定されており、最も幅方向Ｗの内側に窪んだ２つの部分のうち、後側に位置する部分に相当する。ウイング３の後端縁は、股下域Ｓ１と後側域Ｓ３との境界を規定していてもよい。ここで、前後方向Ｌにおけるウイング３の前端縁とウイング３の後端縁との間の領域を「ウイング域」と称する。ウイングを有する吸収性物品では、股下域Ｓ１は、ウイング域と実質的に同じ領域となる。したがって、本明細書において、「股下域Ｓ１」との語は、「ウイング域」と読み替えることができることに留意すべきである。
【００１９】
吸収性物品１は、肌面シート１０、非肌面シート２０及び吸収体３０を有する。肌面シート１０は、吸収体３０よりも肌対向面側Ｔ１に設けられる。非肌面シート２０は、吸収体３０よりも非肌対向面側Ｔ２に設けられる。吸収体３０は、肌面シート１０と非肌面シート２０との間に設けられる。
【００２０】
肌面シート１０は、表面シート１１及びサイドシート１２を有していてよい。表面シート１１は、体液等の液体を透過する液透過性のシートである。表面シート１１は、幅方向Ｗにおける吸収体３０の中央部を覆う。表面シート１１は、前後方向Ｌに前側域Ｓ２から後側域Ｓ３まで延びていてよい。
【００２１】
表面シート１１は、不織布、織布、有孔プラスチックシート、メッシュシート等、液体を透過する構造を有する任意のシート状の材料から構成される。織布や不織布の素材としては、天然繊維、化学繊維のいずれも使用できる。
【００２２】
サイドシート１２は、幅方向Ｗにおける表面シート１１の外側縁を覆い、表面シート１１よりも幅方向Ｗの外側へ延びている。なお、本実施形態では、吸収性物品１はサイドシート１２を有しているが、吸収性物品１はサイドシート１２を有していなくてもよい。この場合、表面シート１１は吸収体３０全体を覆っていてよい。
【００２３】
サイドシート１２は、表面シート１１と同様の材料から構成することができる。ただし、表面シート１１に付着した体液が、サイドシート１２を乗り越えて、幅方向Ｗにおいて吸収性物品１の外側へ漏れ出すことを防止するためには、サイドシート１２は、疎水性又は撥水性を有することが好ましい。サイドシート１２は、幅方向Ｗにおける吸収体３０の外側縁、ウイング３及びヒップフラップ４に配置されていてよい。
【００２４】
非肌面シート２０は、液不透過性のシートである。非肌面シート２０は、ポリエチレンシート、ポリプロピレン等を主体としたラミネート不織布、通気性の樹脂フィルム、スパンボンド、又はスパンレース等の不織布に通気性の樹脂フィルムが接合されたシートなどを用いることができる。非肌面シート２０は、吸収体３０の非肌対向面側Ｔ２に配置され、かつウイング３とヒップフラップ４に跨って配置されている。非肌面シート２０は、吸収性物品１の非肌面を構成する。なお、吸収体の非肌対向面側に配置されるシートと、ウイングに配置されるシートと、ヒップフラップに配置されるシートとは、本実施の形態のように一体化されていてもよいし、別々のシートによって構成されていてもよい。
【００２５】
吸収体３０は、少なくとも股下域Ｓ１及び後側域Ｓ３に配置される。また、吸収体３０は、股下域Ｓ１から前側域Ｓ２まで延びていてもよい。吸収体３０は、液体を吸収する吸収材料を含む吸収コア３１と、吸収コア３１を包むコアラップ３２と、を有する。
【００２６】
コアラップ３２は、少なくとも吸収コア３１よりも肌対向面側で吸収コア３１を覆っていればよい。具体的一例として、コアラップ３２は、吸収コア３１よりも肌対向面側に配置される第１コアラップ３２１と、吸収コア３１よりも非肌対向面側に配置される第２コアラップ３２２と、を有していてよい。第１コアラップ３２１及び第２コアラップ３２２は、同一のシートから構成されていてもよい。吸収コア３１を構成する吸収材料は、例えば、親水性繊維、パルプ及び高吸水性高分子（ＳＡＰ）から形成できる。コアラップ３２は、不織布によって構成されている。コアラップ３２は、疎水性を有していてよい。コアラップ３２が疎水性を有することにより、防漏性を高めることができる。
【００２７】
第１コアラップ３２１の幅方向中央は、吸収コアの肌対向面側Ｔ１に配置されている。第１コアラップ３２１は、吸収コアの外側縁を基点に吸収コア３１の非肌対向面側に折り返されている。図３に示す吸収性物品の断面図は、第１コアラップが折り返された状態である。第１コアラップ３２１が折り返されていない展開状態では、第１コアラップ３２１の幅方向中央は、吸収コアの幅方向中央に位置し、第１コアラップ３２１の外側縁３２１Ｅは、吸収コアよりも幅方向外側に延びている。
【００２８】
第１コアラップ３２１の展開状態における第１コアラップ３２１の外側縁３２１Ｅは、吸収コア３１の非肌対向面側Ｔ２又は吸収コア３１の外側縁よりも幅方向外側に配置されていてよい。本実施の形態の第１コアラップ３２１の外側縁３２１Ｅは、吸収コア３１の非肌対向面側Ｔ２に位置する第２コアラップ３２２の非肌対向面側Ｔ２に配置されている。なお、第１コアラップ３２１の外側縁３２１Ｅは、吸収コア３１の幅方向外側に延び、サイドシート１２の非肌対向面側Ｔ２及び表面シート１１の非肌対向面側Ｔ２に配置されていてもよい。
【００２９】
前述したように、吸収性物品１は、ウイング３及びヒップフラップ４を有する。ウイング３及びヒップフラップ４は、股下域Ｓ１における吸収コア３１の外側縁よりも幅方向Ｗの外側に延出している。
【００３０】
ウイング３及びヒップフラップ４は、サイドシート１２と、フラップシート１５と、非肌面シート２０と、の積層によって構成されていてよい。フラップシート１５は、股下域Ｓ１、前側域Ｓ２及び後側域Ｓ３に跨って配置される。フラップシート１５は、ウイング３とヒップフラップ４に配置される。なお、フラップシート１５は、少なくとも後側域Ｓ３に配置されていればよい。フラップシート１５は、少なくともヒップフラップ４に配置されていればよい。
【００３１】
ウイング３は、非肌面シート２０側に折り返し可能に構成されている。ウイング３は、使用時に下着のクロッチ部の非肌対向面側に折り返される。ヒップフラップ４は、ウイング３よりも後側に位置し、後側域Ｓ３に設けられている。ヒップフラップ４は、股下域Ｓ１の吸収コア３１の外側縁よりも幅方向の外側に延びている。ヒップフラップ４が配置された領域は、股下域Ｓ１の吸収コア３１の外側縁よりも幅方向外側に位置する。ヒップフラップ４は、使用時に折り返されず、下着と着用者の臀部との間に配置される。本実施形態では、ヒップフラップ４には吸収材料が設けられていない。この代わりに、ヒップフラップ４には、吸収材料が設けられていてもよい。
【００３２】
ヒップフラップ４の外縁は、幅方向外側に膨らむ円弧形状である。ヒップフラップ４の側縁は、多数の凸部４Ｆを有する波形形状に形成されていてよい。多数の凸部４Ｆは、一方のヒップフラップ４の外縁４Ｅから後側域Ｓ３の後端縁を経て他方のヒップフラップ４の外縁まで延びていることが好ましい。この代わりに、多数の凸部４Ｆは、一対のヒップフラップ４の外縁のみに形成されていてもよい。各々の凸部４Ｆの幅は、好ましくは２０ｍｍ以下、より好ましくは１０ｍｍ以下である。また、各々の凸部４Ｆの幅は、３ｍｍ以上であることが好ましい。
【００３３】
また、ヒップフラップ４の側縁には、複数の凸４Ｆ部と、凸部４Ｆ間の凹部と、が交互に形成されている。ヒップフラップ４の外縁４Ｅに外側から局所的に力が加えられたとき、力の作用点付近に設けられた少数の凸部４Ｆが折り返される。しかしながら、凸部４Ｆ同士の間に隙間（凹部）が存在するため、ある凸部４Ｆに加えられた力は、隣接する凸部４Ｆに伝わり難くなっている。その結果、局所的に力が加えられた凸部４Ｆを基点にヒップフラップ４が大きくめくれるということが抑制される。
【００３４】
また、本明細書における「厚さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３５】
測定する際は、吸収性物品が縮んだ状態ではなく、吸収性物品の伸縮性部材を伸張させた状態として測定する。尾崎製作所（株）製のダイアルゲージ ＰＥＡＣＯＣＫを使用し、測定子には直径１０ｍｍのものを採用し、大きさが３０ｍｍ×３０ｍｍの試片を用意して、当該試片の厚みを測定する。測定器は、試片に対する測定圧が３ｇ／ｃｍ２となるように調整する。ここで、１０サンプルに対して、それぞれの状態で上述の測定を行い、その平均値を、長さとした。
【００３６】
なお、本明細書における「吸収コアの目付及び密度」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３７】
包装体によって包装された吸収性物品においては包装体を開封し、折り畳まれた吸収性物品を展開して、目付及び密度を測定する部分の厚み及び面積を測定する。次いで、目付及び密度を測定する部分を吸収性物品から切り出し、切り出した部分の重量を測定する。次いで、切り出した部分から表面シート及びコアラップ等、吸収コア以外の部分を取り除き、吸収コアの重量を測定する。吸収コアの重量と、目付及び密度を測定する部分の面積とに基づいて目付を算出する。目付及び厚みに基づいて、密度を算出する。
【００３８】
また、本明細書における「長さ」の測定は、以下の測定方法によって行われるものとする。
吸収性物品１がパッケージなどに封入されている場合には、パッケージから取り出し、その状態にて20℃±2℃、相対湿度60％±5％RHの雰囲気下において12時間放置したサンプルを用いる。
【００３９】
次いで、シンワ測定株式会社製のスプリングメジャー（テープ：ガラス繊維入塩ビ被覆）を用いて、測定対象部位に沿わせるようにして、測定対象部位のこの状態の長さを測定する。ここで、１０サンプルに対して、それぞれの状態で上述の測定を行い、その平均値を、長さとした。
【００４０】
（２）吸収体の詳細構成
次に、吸収体３０の構成についてより具体的に説明する。吸収体３０は、少なくとも股下域Ｓ１に、中高部３３を有する。中高部３３は、股下域Ｓ１から前側域Ｓ２へ延びていてもよい。中高部３３は、股下域Ｓ１において、中心線ＣＬを跨いで配置されている。中心線ＣＬは、吸収性物品の幅方向の中心を通り、前後方向Ｌに沿って延びる線である。
【００４１】
中高部３３は、中高部３３のまわりの領域の吸収コア３１の厚みよりも吸収コア３１の厚みが厚い領域を意味する。中高部３３の吸収材料の目付は、股下域Ｓ１内の中高部３３以外の領域における吸収コア３１の目付よりも高くてもよい。中高部３３は、後述する第１低目付部４１に隣接していてよい。好ましくは、第１低目付部４１の後側の吸収コア３１は、中高部３３の厚みよりも薄い。より好ましくは、後側域Ｓ３全体の吸収コア３１は、中高部３３の厚みよりも薄い。中高部３３は、最も厚みが厚い最高部と、最高部へ繋がる傾斜部と、を有する。この傾斜部は、最高部と後述の前側圧搾部との間、及び最高部と第１低目付部４１との間に配置されていてよい。
【００４２】
吸収コア３１は、第１低目付部４１、第２低目付部４２及び第３低目付部４３を有していてよい。ここで、「低目付部」は、その周囲の吸収コア３１よりも低い目付を有する吸収コア３１からなる領域、又は吸収コア３１を有していない領域を意味する。このように、「低目付部」は、吸収コア３１の目付が零である領域を含む概念である。
【００４３】
すなわち、「低目付部」は、厚み方向Ｔに吸収コア３１を貫通したスリットであってもよい。スリットは、設計上の目付が零であるが、周囲から混入した吸収材料が配置された領域であってもよい。スリットの幅方向Ｗの長さは、１ｍｍ〜５ｍｍであることが好ましい。例えば、スリットの幅方向の長さが１ｍｍ未満であると、スリット間に吸収材料が流入し、吸収コアの変形基点を構成できないことがある。また、スリットの幅方向の長さが５ｍｍを超えると、着用者が体液の伝え漏れに対する不安を感じることがある。
【００４４】
低目付部４１〜４３における吸収コア３１の目付は、好ましくは１５０ｇ／ｍ２以下、より好ましくは、１００ｇ／ｍ２以下である。また、低目付部４１〜４３における吸収コア３１の目付は、実質的に０ｇ／ｍ２であることがさらに好ましい。また、低目付部４１〜４３における吸収コア３１の目付は、低目付部４１〜４３のまわりの吸収コア（中高部を除く）の目付の６０％以下であることが好ましく、５０％以下であることがより好ましい。
【００４５】
「低目付部」が吸収コア３１を有していない領域である場合でも、コアラップ３２は、低目付部を跨いで吸収コア３１全体を包んでいてよい。この場合、吸収コア３１が複数の領域に分断されていたとしても、吸収体３０は、コアラップ３２によって一体的に形成される。
【００４６】
第１低目付部４１、第２低目付部４２及び第３低目付部４３は、吸収体３０の剛性が変化する境目となる。したがって、第１低目付部４１、第２低目付部４２及び第３低目付部４３は、吸収体３０が変形し易い領域に相当する。
【００４７】
第１低目付部４１は、股下域Ｓ１と後側域Ｓ３との間において幅方向Ｗに延びている。第１低目付部４１は、幅方向Ｗに沿って直線的に延びていてもよいし、幅方向Ｗに沿って曲線的に延びていてもよい。
【００４８】
第１低目付部４１は、前後方向Ｌにおけるウイング３の中心よりも後側かつ吸収体３０の後側縁よりも前側に設けられていてよい。第１低目付部４１は、前後方向Ｌにおいて、ウイング３の後端縁を跨ぐように設けられていてもよい。
【００４９】
本実施形態では、第１低目付部４１は、第１低目付部４１の幅方向Ｗの中央が後方に突出した曲線形状である。より詳細には、第１低目付部４１の幅方向Ｗの中心は、第１低目付部４１の外側縁よりも後方に位置する。第１低目付部４１の前後方向Ｌにおける長さは、一定であってもよいし、一定でなくてもよい。第１低目付部４１よりも前側に位置する股下域Ｓ１は、両脚によって挟まれ、脚の動きによって捻じれる力がかかり易い。吸収性物品１は、第１低目付部４１が曲線形状であるため、身体のねじれに対して追従し易く、身体の動きによる変形を逃がしやすくなる。
【００５０】
好ましくは、幅方向Ｗにおける第１低目付部４１の長さは、２５ｍｍ以上である。これにより、股下域Ｓ１における吸収体３０の動きが、後側域Ｓ３に伝わることを抑制できる。より好ましくは、第１低目付部４１は、幅方向Ｗにおいて、吸収体３０の一端から他端まで延びている。この場合、第１低目付部４１の前端縁が股下域Ｓ１の後端縁を規定していてもよく、第１低目付部４１の後端縁が後側域Ｓ３の前端縁を規定していてもよい。
【００５１】
第１低目付部４１が幅方向Ｗにおいて吸収体３０の一端から他端まで延びていることにより、吸収コア３１を構成する吸収材料は、股下域Ｓ１と後側域Ｓ３との間で移動し難くなる。したがって、着用中の動作により、吸収コア３１を構成する吸収材料が局所的に集中することをより抑制することができる。
【００５２】
前後方向Ｌにおける第１低目付部４１の長さは、吸収性物品１の中心線ＣＬの位置で、好ましくは１０ｍｍ以上かつ５０ｍｍ以下であり、より好ましくは１０ｍｍ以上かつ３０ｍｍ以下である。
【００５３】
実施の形態の吸収性物品１は、第１低目付部４１を有することにより、股下域Ｓ１と後側域Ｓ３とで独立した変形を実現できる。より詳細には、第１低目付部の長さが１０ｍｍ以上という長さを有し、かつ第１低目付部が一端から他端まで延びていることにより、吸収性物品が第１低目付部のところで厚み方向以外の方向にも変形可能になり、股下域Ｓ１と後側域Ｓ３の変形が互いに干渉することなく、独立して変形できる。その結果、寝た姿勢や歩行中のような着用者の動作によって吸収性物品に様々な外力が加わった場合であっても、股下域Ｓ１と後側域Ｓ３とが独立に変形することで、股下域Ｓ１と後側域Ｓ３とがそれぞれ身体の形状に合わせてフィットし続けることができる。
【００５４】
股下域Ｓ１には中高部３３が設けられているため、股下域の吸収性能を確保するとともに、股下域Ｓ１のフィット性を向上できる。一実施形態の吸収性物品は、股下域Ｓ１を身体に沿わせるとともに、後側域Ｓ３を身体の動きに応じて追従させることが可能となる。
【００５５】
第２低目付部４２は、後側域Ｓ３において、吸収コアの幅方向中央に位置する。第２低目付部４２は、後側域Ｓ３において、吸収性物品の中心線ＣＬに沿って前後方向Ｌに延びている。第２低目付部４２は、前後方向Ｌに直線的に延びていてよい。第２低目付部４２は、第１低目付部４１と繋がっていることが好ましい。第２低目付部４２は、前後低目付部に相当する。
【００５６】
第１低目付部４１及び第２低目付部４２により、吸収コア３１を構成する吸収材料は、股下域Ｓ１（又はウイング域）と、後側域Ｓ３の右側部分と、後側域Ｓ３の左側部分との間で移動し難くなる。これにより、着用中の動作により、吸収コア３１を構成する吸収材料が局所的に集中することを抑制することができる。その結果、吸収性物品１の着用中に、着用者の違和感を緩和することができる。したがって、着用者は、特に寝た姿勢においても、違和感を覚え難い。
【００５７】
また、後側域Ｓ３において吸収コア３１の側部である高目付部４５が左右の臀部によって押し下げされると、後側域Ｓ３の吸収コア３１の幅方向の中央は、第２低目付部４２を頂点として着用者側に隆起する。よって、着用中に、第２低目付部４２は、着用者の肌側に向けて突出する。第２低目付部４２は、後側域Ｓ３で前後方向Ｌに沿って延びているため、着用者の臀裂に沿ってフィットし易くなる。さらに、前述したように、第１低目付部４１によって、股下域Ｓ１と後側域Ｓ３とで、吸収性物品が独立して変形し易くなっている。すなわち、吸収性物品１は、股下域Ｓ１と後側域Ｓ３とで独立に変形することで、股下域Ｓ１と後側域Ｓ３の両方で身体の形状に合わせてフィットし得る。
【００５８】
第２低目付部４２の後端縁は、前後方向における後側域Ｓ３の中心よりも後側に位置していてよい。また、第２低目付部４２の後端縁は、ヒップフラップ４の最大幅の位置Ｐ１よりも後側に位置していてよい。ヒップフラップ４の最大幅の位置Ｐ１は、前後方向における後側域の中央よりも後側に位置している。第２低目付部４２の前後方向Ｌの長さは、１２０ｍｍ以上であることが好ましく、１５０ｍｍ以上であることがより好ましい。好ましくは、幅方向Ｗにおける第２低目付部４２の長さは、１ｍｍ以上かつ５ｍｍ以下である。着用者の身体の前後方向Ｌに沿った断面において、臀部間の溝（臀裂）は、会陰部よりも後方から尾てい骨に至る領域に存在する。吸収性物品の使用中に、第２低目付部４２は、着用者の臀裂の領域に配置される。
【００５９】
第３低目付部４３は、後側域Ｓ３において、第２低目付部４２から幅方向Ｗの外側に延びている。第３低目付部４３は、第２低目付部４２に繋がっていてよい。第３低目付部４３は、幅低目付部に相当する。第３低目付部４３の前側の縁線は、幅方向Ｗの内側において、幅方向Ｗに実質的に平行に延びていてよい。また、第３低目付部４３の前側の縁線は、幅方向Ｗの外側において、前方に張り出していてよい。第３低目付部４３の後側の縁線は、幅方向Ｗの内側から外側に向かうにつれて、前方に傾斜していてよい。
【００６０】
第３低目付部４３を境界として剛性が変化するため、第３低目付部４３は、吸収性物品の変形の基点となる。吸収性物品１の後側域Ｓ３には、幅方向に延びる変形の基点が形成される。後側域Ｓ３の吸収コア３１は、第３低目付部４３を基点に変形できるため、吸収性物品１が身体の前後方向Ｌに沿った丸みに沿ってよいフィットし易くなる。特に、第３低目付部４３の後側の縁線が、幅方向Ｗの内側から外側に向かうにつれて前方に傾斜する形状であるため、着用者の臀部の丸みに沿って配置され易くなる。
【００６１】
幅方向Ｗにおける第３低目付部４３の外側縁は、後側域Ｓ３の吸収コア３１の外側縁よりも内側に位置する。第３低目付部４３は、前後方向Ｌに間隔を空けて複数設けられていてよい。第３低目付部４３は、本実施の形態における曲部を構成する。第３低目付部４３は、吸収性物品が厚み方向に曲がることができるように構成される。「曲部」は、幅方向に沿って延びていればよく、幅方向に対して平行であってもよいし、幅方向に対して傾斜していてもよい。「曲部」は、吸収コアの変形基点となる構成であればよく、低目付部によって構成されていてもよいし、吸収コア３１が厚み方向に圧縮された圧搾部であってもよい。
【００６２】
吸収コア３１は、後側域Ｓ３において、第２低目付部４２よりも幅方向外側に位置する高目付部４５を有する。高目付部４５の吸収材料の目付は、その周囲の吸収コア３１の吸収材料の目付よりも低い。高目付部４５は、後側域Ｓ３の吸収コアのうち、第２低目付部４２と第３低目付部を除いた部分である。第２低目付部４２、第３低目付部４３及び高目付部４５は、表面シート１１によって覆われている。
【００６３】
吸収コア３１は、密度が略一定であってよい。吸収コア３１の密度が一定である状態とは、吸収材料が積層された後に、吸収コアを部分的にプレスしていない状態である。また、吸収コア３１は、目付が異なる複数の領域を有する。具体的には、中高部３３の目付と、股下域Ｓ１において中高部３３よりも幅方向外側の領域の目付と、後側域Ｓ３の高目付部４５の目付と、後側域Ｓ３の低目付部（第２低目付部４２及び第３低目付部４３）の目付と、は異なる。より詳細には、吸収コアを構成する吸収材料の目付は、中高部３３、股下域Ｓ１において中高部３３よりも幅方向外側の領域、後側域Ｓ３の高目付部４５、後側域Ｓ３の低目付部の順序で低くなるように構成されている。
【００６４】
（３）圧搾部
吸収性物品１は、少なくとも吸収コア３１が厚み方向Ｔに圧縮されることによって形成された圧搾部を有する。この圧搾部は、前側圧搾部８１と、長手圧搾部８２と、一対の後側圧搾部８４と、を有していてよい。
【００６５】
前側圧搾部８１は、少なくとも股下域Ｓ１に設けられている。前側圧搾部８１は、股下域Ｓ１から前側域Ｓ２へ延びていてもよい。前側圧搾部８１は、表面シート１１と吸収コア３１とコアラップ３２とが厚み方向Ｔに圧縮されることによって形成されていてよい。前側圧搾部８１は、中高部３３の幅方向Ｗ両側に設けられた前後方向Ｌに沿った区間を有する。前側圧搾部８１は、中高部３３の幅方向Ｗにおける側縁を規定していてよい。
【００６６】
長手圧搾部８２は、後側域Ｓ３で、中心線ＣＬ、より具体的には第２低目付部４２を挟んで両側に設けられている。長手圧搾部８２は、吸収体３０と表面シート１１とが厚み方向に圧縮されることによって形成されていてよい。長手圧搾部８２は、少なくとも吸収コア３１と表面シート１１に設けられていればよい。長手圧搾部８２は、第２低目付部４２よりも幅方向Ｗの両外側において前後方向Ｌに延びる。長手圧搾部８２は、線状又は点線状に、少なくとも前後方向Ｌに延びていればよい。長手圧搾部８２は、前後方向Ｌに平行に直線的に延びていてもよいし、前後方向Ｌに対して傾斜して曲線的に延びていてもよい。長手圧搾部８２は、ヒップフラップ４の最大幅の位置Ｐ１よりも前側に形成されていてよい。
【００６７】
後側域Ｓ３において吸収コア３１の側部である高目付部４５が左右の臀部によって押し下げされると、後側域Ｓ３の吸収体の幅方向の中央は、第２低目付部４２を頂点として着用者側に隆起する。長手圧搾部８２は、第２低目付部４２の幅方向における両側に配置されており、第２低目付部４２が着用者側に隆起する際の変形の基点となる。長手圧搾部８２を有することにより、第２低目付部４２による凸状の変形を維持し易くなり、着用者の臀部間の隙間に吸収体３０をフィットさせ易くすることができる。
【００６８】
前側圧搾部８１と長手圧搾部８２は、前後方向において分断されていてよい。前側圧搾部８１と長手圧搾部８２が分断されていることにより、股下域Ｓ１と後側域Ｓ３で力が伝播することを抑制できる。よって、股下域Ｓ１と後側域Ｓ３とで独立に変形することで、股下域Ｓ１と後側域Ｓ３の両方で身体の形状に合わせてフィットし得る。なお、変形例として、前側圧搾部８１と長手圧搾部８２は、連続的に繋がっていてもよい。
【００６９】
一対の後側圧搾部８４は、後側域Ｓ３で、中心線ＣＬを挟んで両側に設けられている。後側圧搾部８４は、吸収体３０と表面シート１１とが厚み方向に圧縮されることによって形成されていてよい。後側圧搾部８４は、少なくとも吸収コア３１と表面シート１１に設けられていればよい。一対の後側圧搾部８４は、吸収性物品の幅方向Ｗの中心を通る中心線ＣＬを挟んで互いに離間して設けられている。一対の後側圧搾部８４は、ヒップフラップ４の最大幅の位置Ｐ１よりも後側に位置していてよい。
【００７０】
好ましくは、一対の後側圧搾部８４は、後側域Ｓ３の後側の端部付近に位置する。具体的には、一対の後側圧搾部８４は、着用者の仙骨に対向する領域近傍に位置する。後側圧搾部８４は、前後方向Ｌに沿って線状又は点線状に延びていてよい。なお、前後方向Ｌに対して多少傾斜又は湾曲していても、後側圧搾部８４は、前後方向Ｌに沿って延びていると見なす。具体的には、一対の後側圧搾部８４は、部分的又は全体的に前後方向Ｌに沿って延びていてよい。一対の後側圧搾部８４は、後側に向かうにつれて幅方向Ｗの距離が広がる幅広区間を有する。すなわち、後側圧搾部８４は、後側へ向かうにつれて、幅方向Ｗの外側に傾斜している。
【００７１】
一対の後側圧搾部８４は、幅方向におけるヒップフラップの最大幅の位置Ｐ１よりも後側に位置し、一対の後側圧搾部８４は、後側に向かうにつれて幅方向の距離が広がる幅広区間を有する。幅方向におけるヒップフラップの最大幅は、前後方向における後側域Ｓ３の中央よりも後側に位置している。
【００７２】
幅広区間によって挟まれた幅広領域は、着用者の仙骨付近に相当する。この領域に圧搾部が存在せず、この領域の両側に比較的剛性の高い一対の後側圧搾部８４が存在する。これより、幅広領域は、比較的平坦な面に維持される。比較的平坦な面が仙骨付近の皮膚にあたることから、着用者の肌に与える影響を軽減することができる。また、幅広領域が比較的平坦な面に維持されるため、幅広領域よりも前側に位置する第２低目付４２部による凸状の変形をフラットな状態にすることができる。
【００７３】
一対の後側圧搾部８４は、仙骨付近に対向する領域と、臀部の肉厚部に対向する部分との間を仕切るように配置されている。臀部は比較的激しく動くため、吸収性物品１の臀部に対向する部分も着用者の動きに応じて動きやすい。この吸収性物品１の移動は、比較的剛性の高い一対の後側圧搾部８４によって、仙骨に対向する領域、すなわち幅広領域に伝わりにくくなっている。その結果、幅広領域を比較的平坦な面に維持することができ、着用者の肌に与える影響を軽減することができる。また、幅広領域内には剛性の高い圧搾部がないことが好ましい。これにより、着用者の肌へ与える影響をより緩和することができる。
【００７４】
また、一対の長手圧搾部８２は、一対の後側圧搾部８４から離れて配置されている。これにより、後側域Ｓ３の後方の吸収コア３１の動きが、後側域Ｓ３の前方の吸収コア３１の動きに追従することを抑制することができる。特に、後側域Ｓ３の前方の吸収コアは着用者のおしりの動きに合わせて比較的大きく動くことがある。この場合であっても、一対の長手圧搾部８２と一対の後側圧搾部８４とが互いに離間しているため、後側域Ｓ３の後方の吸収コアの動きが緩和される。したがって、幅広領域の吸収コアの動きが緩和されるため、着用者の仙骨付近に与える刺激を低下することができる。
【００７５】
一対の長手圧搾部８２は、一対の後側圧搾部８４から離れて配置されている。一対の長手圧搾部８２と一対の後側圧搾部８４との間の距離は、好ましくは少なくとも３ｃｍ、より好ましくは少なくとも５ｃｍである。一般的な女性の第１関節よりも先端側の長さは、１．５〜２．５ｃｍである。当該第１関節よりも先端側の長さよりも長いことにより、指が触れた際や触れた指が多少移動した際に指が圧搾部に当たらず、着用者が吸収性物品の表面を柔らかく感じることができる。一対の長手圧搾部８２と一対の後側圧搾部８４との間の、圧搾部が形成されていない区間は、後述する非圧搾領域５２を構成する。圧搾部が形成されていない区間は、ヒップフラップの最大幅の位置Ｐ１を跨っていてもよい。
【００７６】
吸収性物品１は、肌面シート１０及び非肌面シート２０を構成するシートのうちの少なくとも２枚を厚み方向Ｔに圧着することによって形成された第１の圧搾部８５、第２の圧搾部８７及び第３の圧搾部８６を有していてもよい（図１参照）。第１の圧搾部８５、第２の圧搾部８７及び第３の圧搾部８６は、ヒップフラップ４の外縁に沿って形成されていてよい。
【００７７】
（４）粘着部
図２に示すように、吸収性物品１には、吸収性物品１を下着Ｓに止めるための粘着剤を有する粘着部６０が設けられている。粘着部６０は、下着に対して吸収性物品１を着脱可能に係合するように構成されており、係合部を構成する。なお、係合部は、粘着部に限定されず、例えばフック部材であってもよい。粘着部６０は、第１本体粘着部６１、第２本体粘着部６２、ウイング粘着部６３及びヒップフラップ粘着部６４を有する。これらの粘着部６１〜６４は、非肌面シート２０の非肌対向面側に設けられている。粘着部６１〜６４は、使用前の状態において、剥離シートによって覆われていてもよい。剥離シートは、使用前に粘着部６１〜６４の粘着剤の劣化を防止する。剥離シートは、使用時に、着用者によって取り外される。
【００７８】
第１本体粘着部６１は、第２本体粘着部６２よりも前方に配置されている。第１本体粘着部６１及び第２本体粘着部６２は、前後方向Ｌに延びている。第１本体粘着部６１は、第２本体粘着部６２から前後方向Ｌに離間して配置されている。第１本体粘着部６１は、第１低目付部４１よりも前側で、股下域Ｓ１と前側域Ｓ２に跨って配置されていてよい。第２本体粘着部６２は、第１低目付部４１よりも後側で、後側域Ｓ３に配置されている。第１本体粘着部６１及び第２本体粘着部６２は、中心線ＣＬ上に設けられていないことが好ましい。ウイング粘着部６３はウイング３に設けられている。ヒップフラップ粘着部６４はヒップフラップ４に設けられている。
【００７９】
第１低目付部４１は、厚み方向Ｔにおいて、粘着部６１〜６４と重ならない領域に配置されていることが好ましい。より具体的には、第１低目付部４１は、第１本体粘着部６１と第２本体粘着部６２との間の領域に設けられている。
【００８０】
第２低目付部４２は、厚み方向Ｔにおいて、粘着部６１〜６４と重ならない領域に配置されていることが好ましい。より具体的には、第２低目付部４２は、複数の第２本体粘着部６２同士の間に設けられている。一対の長手圧搾部８２は、第２本体粘着部６２と重なる領域に設けられていることが好ましい。
【００８１】
（５）表面シートの詳細構成
次いで、図４に基づいて表面シート１１について詳細に説明する。図４は、表面シート１１の模式断面図である。表面シート１１は、第１層１１１と、第２層１１２と、を有する。なお、図１においては、表面シート１１を１層で図示するが、詳細には、表面シート１１は、図４に示すように２層からなる。第１層１１１は、吸収性物品１の肌対向面を構成する。第２層１１２は、第１層１１１の非肌対向面側Ｔ２に配置される。第１層１１１と第２層１１２は、不織布である。第２層１１２を構成する繊維の径は、第１層１１１を構成する繊維の径よりも太い。具体的には、第１層１１１の繊維の径は、１．３ｄｔｅｘであり、第２層１１２の繊維の径は、２．２ｄｔｅｘである。より好適には、第１層１１１の繊維の径は、０．５ｄｔｅｘ以上２．０ｄｔｅｘ未満であることが好ましい。第１層１１１の繊維の径が０．５ｄｔｅｘ以上であることにより、当該繊維を用いて不織布を安定して製造できる。また、第１層１１１の繊維の径が２．０ｄｔｅｘ未満であることにより、着用者が指で触れた際に柔らかさを感じ易く、後述する実施例においても好適な評価を得ることができた。
【００８２】
第２層の繊維の目付は、第１層の繊維の目付よりも高くてよい。具体的には、第１層１１１の繊維の目付は、７ｇ／ｍ２であり、第２層１１２の繊維の径は、１８ｇ／ｍ２である。表面シート１１は、第１層１１１と第２層１１２を別々に形成した後に一体化してもよいし、第１層１１１と第２層１１２とを一体化した状態で形成してもよい。
【００８３】
（６）圧搾領域と非圧搾領域
次に、圧搾領域５１と非圧搾領域５２について説明する。図５は、図１に示す吸収性物品の平面図において圧搾領域５１と非圧搾領域５２を示した図である。図５において圧搾領域５１と非圧搾領域５２とに異なる斜線を付して示す。後側域Ｓ３は、圧搾部が配置される圧搾領域５１と、圧搾部が配置されていない非圧搾領域５２と、を有する。この圧搾領域５１に配置される圧搾部は、吸収コア３１と表面シート１１を圧縮した圧搾部、すなわち、吸収コア３１と表面シート１１に設けられた圧搾部であり、本実施の形態では、長手圧搾部８２と後側圧搾部８４である。
【００８４】
圧搾領域５１は、長手圧搾部８２と後側圧搾部８４のうち少なくとも一方が配置される領域である。より詳細には、圧搾領域５１は、長手圧搾部８２が配置される領域と、当該長手圧搾部８２が配置される領域から幅方向に延びる領域と、を含む。また、圧搾領域５１は、後側圧搾部８４が配置される領域と、当該後側圧搾部８４が配置される領域から幅方向に延びる領域と、を含む。
【００８５】
非圧搾領域５２は、吸収コア３１と表面シート１１に設けられた圧搾部（本実施の形態における長手圧搾部８２と後側圧搾部８４）が配置されていない領域である。非圧搾領域５２は、幅方向に沿って吸収体３０の一端から他端まで連続的に延びている。なお、非圧搾領域５２は、表面シート１１のみに圧搾部が形成された領域やサイドシート１２のみに圧搾部が形成された領域や吸収コア３１のみに圧搾部が形成された領域を含む概念である。後側域Ｓ３には、前方から圧搾領域５１、非圧搾領域５２、圧搾領域５１が交互に配置されている。
【００８６】
後側域Ｓ３に設けられた吸収コア３１の一部は、非圧搾領域５２内に配置される。また、第２低目付部４２の一部が、非圧搾領域５２内において延びていることが好ましい。第２低目付部４２は、前後方向Ｌに沿って非圧搾領域５２を貫いていることがより好ましい。
【００８７】
非圧搾領域５２は、少なくとも一の低目付部と少なくとも一の高目付部とに重なっていてよい。本実施の形態の非圧搾領域は、高目付部４５、第２低目付部４２、及び第３低目付部４３に重なっている。非圧搾領域５２には、前後方向に沿って第３低目付部４３と高目付部４５が交互に重なって配置される。また、非圧搾領域５２には、幅方向に沿って第２低目付部４２と高目付部４５が交互に重なって配置される。よって、着用者が前後方向に沿って非圧搾領域５２をなぞると、第３低目付部４３の肌対向面側と高目付部４５の肌対向面側をなぞることとなる。また、着用者が幅方向に沿って非圧搾領域５２をなぞると、第２低目付部４２の肌対向面側と高目付部４５の肌対向面側をなぞることとなる。よって、着用者は、非圧搾領域５２の肌対向面側をなぞることにより、吸収コアの目付の変化によって吸収コアのふくらみを感じ易い。
【００８８】
非圧搾領域５２の少なくとも一部は、吸収性物品の後端縁から前側に延びる後端領域５３に配置されてよい。後端領域５３の前後方向の長さは、吸収性物品の前後方向に沿った全体長さに対する２５％の長さである。なお、非圧搾領域５２の少なくとも一部が後端領域５３に配置されていればよく、非圧搾領域５２が後側領域よりも前方に延びていてもよい。また、非圧搾領域５２は、ヒップフラップの最大幅の位置Ｐ１から幅方向に延びる仮想線上に配置されていてよい。なお、非圧搾領域５２の少なくとも一部が仮想線上に配置されていればよい。
【００８９】
非圧搾領域５２の前後方向の長さは、３０ｍｍ以上であってよい。３０ｍｍ以上であることにより、一般的な着用者（大人）の指の第１関節よりも先端側の長さ（１５ｍｍ〜２５ｍｍ）よりも長くなる。よって、指の腹で押した際に圧搾部に触れることなく柔らかい印象を受けることが可能となる。また、着用者（大人）の指の第１関節よりも先端側の長さの２倍程度であることにより、指でなぞったり、複数の指で触れたりした際にも圧搾部に触れることなく柔らかい印象を受けることが可能となる。
【００９０】
また、非圧搾領域５２の前後方向の長さは、後側域Ｓ３の前後方向の長さよりも短くてよい。非圧搾領域５２は、前後方向において後側域Ｓ３の粘着部６０の後端縁を跨っていることが好ましい。着用者は、装着時に粘着部６０が配置された領域を下着に押し当てて、吸収性物品１を下着に固定しようとする。具体的には、例えば、吸収性物品の股下域Ｓ１を指で押した後に、その指を後方に移動させ、粘着部の後端縁に至るまで手で押し続ける。非圧搾領域５２が前後方向において後側域Ｓ３の粘着部６０の後端縁を跨っていることにより、着用者が指で押し当てる動作を完了する際に指が比較的柔らかい非圧搾領域５２に触れるため、着用者は、着用する直前に吸収性物品が柔らかい印象を持つことができ、期待感を高めることができる。
【００９１】
非圧搾領域５２の少なくとも一部は、吸収性物品の後端縁から前側に延びる後端領域に配置されていてよい。出願人が着用者の装着態様を調査した結果、着用者は、装着時に吸収性物品の後端縁の近傍（後端領域）まで指で吸収性物品を押圧し、当該後端領域で装着動作を完了することがわかった。加えて、出願人が着用者の装着態様を調査した結果、吸収性物品の後端縁の近傍の範囲が、吸収性物品の後端縁から前側に、吸収性物品の前後方向に沿った全体長さに対する２５％延びる範囲であることがわかった。
【００９２】
非圧搾領域の少なくとも一部が後端領域に設けられているため、着用者が装着を完了する際に、着用者が柔らかさを感じることができる。着用者は、装着する直前に柔らかさを感じ、期待感を得た状態で吸収性物品を着用することができる。
【００９３】
圧搾領域５１は、幅方向におけるヒップフラップの最大幅の位置Ｐ１よりも後側に配置されていてよい。ヒップフラップの最大幅の位置Ｐ１よりも後側の圧搾領域５１には、後側圧搾部８４が設けられている。
【００９４】
（７）吸収性物品の装着操作
次に、図６を参照し、吸収性物品の装着操作の一例について説明する。図６は、使用中の吸収性物品を模式的に示した斜視図である。吸収性物品を下着等に装着する際は、一般的に、着用者は、着用者の股下に配置される股下域を下着に固定し、その後、後側域を下着に固定する。より詳細には、着用者は、第１本体粘着部６１を下着のクロッチ域に当接させるとともに、第２本体粘着部６２をクロッチ域の後方の下着に当接させる。次いで、着用者は、ウイング３を下着の非肌対向面側に折り返し、ウイング粘着部６３を下着のクロッチ域の非肌対向面に当接させる。また、着用者は、ヒップフラップ粘着部６４をクロッチ域の後方の下着に当接させる。
【００９５】
着用者は、この一連の装着操作の際、肌面シートに手を当てて、例えば、吸収性物品の肌対向面を指でなぞりつつ下着に吸収性物品を押し付けて粘着部を介して固定する。例えば、着用者は、股下域の肌面シート（図６のＡ部分）を指で押した後に、その指によって肌面シートをなぞりつつ指を後方に移動し（図６の矢印Ｘ）、後方域の肌面シート（図６のＢ部分）を指で押す。また、着用者は、吸収性物品を下着にしっかりと押すために、指の先端から第１関節を含む部分で吸収性物品を下着に押し当てる。このように装着することにより、吸収性物品１が下着に固定される。
【００９６】
（８）作用・効果
着用者が吸収性物品を装着する際は、吸収性物品を指で挟んだり、指で肌面シートをなぞったりして、吸収性物品を下着側に押し当てる。このとき、指が圧搾部に常に触れていると、着用者は、圧搾部の硬さを常に感じ、吸収性物品に対して柔らかい印象を持ちにくい。
【００９７】
本実施の形態の吸収性物品１の後側域には非圧搾領域５２が設けられているため、着用者が前側（股下域側、図６のＡ部分）から後側に沿って指をスライド移動させた際（図６の矢印Ｘ）に、非圧搾領域５２に触れる（図６のＢ部分）。着用者は、吸収性物品の表面を指でなぞった際に、少なくとも一定の間、圧搾部の硬さを感じずに柔らかさを感じる。よって、着用者は、装着前に吸収性物品の柔らかさを把握することができ、吸収性物品の付け心地に対する期待感を得ることができる。
【００９８】
また、一実施形態によれば、着用者の手に触れる第１層１１１の繊維の径が比較的小さい。第１層１１１の肌触りがよいため、着用者は、手で触れた際に柔らかさを感じることができる。また、着用者が吸収性物品１を下着等に固定しようとして押圧した際は、比較的太い繊維からなる第２層１１２によって反発力が得られ易い。よって、着用者が指で表面シート１１上をなぞると、第２層１１２の反発力によって表面シート１１の肌対向面が指側に押し戻され、着用者が指で表面シート１１の肌対向面を触り続け易くなる。着用者は、柔らかい第１層１１１を触り続けるため、表面シート１１の柔らかさを感じ続けることができる。
【００９９】
また、吸収コア３１を覆うコアラップ３２を構成する不織布は、ティッシュと比べて伸度が高い。そのため、着用者が吸収性物品１に触れた指をスライド移動したり、指で押圧したりする際に、コアラップ３２である不織布が伸長し、着用者は、吸収性物品１の肌対向面が手に追従するような感触を得ることができる。より詳細には、指で表面シート１１の第１層１１１上をなぞると、第１層１１１の肌対向面上を指が移動する。このとき、指が触れる表面に対して根本に位置するコアラップ３２の伸度が高いため、指の動きに追従して根本であるコアラップ３２が伸びる。よって、指で表面シート１１の第１層１１１上をなぞる際に、指の動きに追従して第１層１１１が引っ張れて指が直ちに第１層１１１から離れないような感触や、第１層１１１の繊維が指にまとわりついて指からゆっくりと繊維が離れるような感触となる。そのため、着用者は、柔らかさを点で感じるのではなく、面で感じ続けることができる。
【０１００】
着用者は、吸収性物品の肌対向面を指でなぞった際に、少なくとも一定の間、圧搾部の硬さを感じずに柔らかさを感じる。着用者は、装着前に吸収性物品の柔らかさを把握することができ、吸収性物品の付け心地に対する期待感を得ることができる。また、一般的に、指の感覚とお尻の感覚とを比較すると、指の感覚の方が研ぎ澄まされている。よって、指で柔らかいと感じた感覚は、頭の中に比較的強い印象で残り易い。そのため、着用者は、指で柔らかいと感じることにより、装着中に柔らかい印象を維持し易くなる。
【０１０１】
また、着用者によっては、夜用の生理用ナプキンや軽失禁パッドを使用する際には、特に後側域を確実に下着に固定しようとする。吸収性物品の後側域が吸収性物品に固定されていないと、装着後に下着を持ち上げた際に、吸収性物品がめくれて吸収性物品が外れてしまったり、吸収性物品がめくれて粘着部同士がくっついてしまったりする。そのため、着用者は、吸収性物品の後側域Ｓ３を指で押し込んで下着に固定しようとする。吸収性物品の後側域に非圧搾領域５２が設けられているため、着用者が確実に後側域Ｓ３を固定しようとする際に、着用者は、吸収性物品の柔らかさを把握することができる。
【０１０２】
また、非圧搾領域５２の少なくとも一部は、後側域Ｓ３の第２本体粘着部６２に重なっていることが好ましい。着用者は、下着に後側域を確実に固定する際に、後側域の第２本体粘着部６２を下着に押し当てようとする。よって、第２本体粘着部６２と非圧搾領域５２とが重なっていることにより、着用者が第２本体粘着部６２を介して後側域Ｓ３を固定しようとする際に、指が非圧搾領域５２に触れやすい。着用者は、装着操作時に吸収性物品の柔らかさを把握することができ、吸収性物品に対する期待を高めることができる。
【０１０３】
非圧搾領域５２は、低目付部及び高目付部に重なるように配置されてよい。着用者が非圧搾領域５２の肌対向面をなぞった際に高目付部と低目付部の両方の肌対向面側をなぞることができ、目付の変化によって吸収コア３１のふくらみを感じ易くなる。
【０１０４】
幅低目付部としての第３低目付部４３は、前後方向Ｌに間隔を空けて複数配置されてよい。着用者が装着時に前後方向に沿って指を動かすことにより、複数の第３低目付部上をなぞることができる。着用者は、装着操作時に低目付部と高目付部に交互に触れ、凹凸によって吸収コアの膨らみを実感し易くなる。
【０１０５】
前後低目付部としての第２低目付部４２は、非圧搾領域５２に重なって配置されていてよい。第２低目付部４２が前後方向Ｌに延びるガイドとなり、着用者は、股下域Ｓ１を押圧した手を第２低目付部４２に沿って後方にスライド移動し易くなる。着用者は、第２低目付部４２に沿って後方に移動した際に非圧搾領域５２に触れ、吸収性物品１の柔らかさを感じることができる。
【０１０６】
非圧搾領域５２は、ヒップフラップの最大幅の位置Ｐ１から幅方向に延びる仮想線上に配置されていてよい。着用者は、ヒップフラップ４のよれを防止するために、後側域Ｓ３で最も膨らんでいるヒップフラップ４の最大幅の位置Ｐ１を確実に固定しようとする。よって、着用者は、ヒップフラップの最大幅の位置Ｐ１や、当該最大幅の位置Ｐ１から幅方向に延びる仮想線上を指で押圧する。ヒップフラップ４の最大幅の位置Ｐ１から幅方向に延びる仮想線上に非圧搾領域５２が配置されているため、着用者が非圧搾領域５２に触れやすくなり、着用者が柔らかさを感じることができる。
【０１０７】
圧搾領域５１は、幅方向におけるヒップフラップの最大幅の位置Ｐ１よりも後側に配置されていてよい。着用者は、ヒップフラップの最大幅の位置Ｐ１から幅方向に延びる仮想線上の非圧搾領域によって吸収性物品の柔らかさを感じる。そして、着用者が、当該非圧搾領域よりも後方に指を移動させることにより、圧搾部に触れ、吸収性物品の硬さの変化を感じることができる。着用者は、吸収性物品の肌対向面の硬さの変化によって吸収性物品の後端縁の位置を把握できる。よって、着用者は、吸収性物品の装着感に対する期待感を得るとともに、吸収性物品の後端縁に至るまで下着に確実に固定できたという安心感を得ることができる。
【０１０８】
第１層を構成する繊維の径は、２．０ｄｔｅｘ未満であってよい。本出願人が鋭意研究を重ねた結果、着用者は、２．０ｄｔｅｘ未満の繊維からなる不織布を指で触れた際に、不織布が指に追従する感触を得られることがわかった。第１層を構成する繊維の径は、２．０ｄｔｅｘ未満であることにより、着用者が表面シート１１の柔らかさをより感じ易くなる。
【０１０９】
第１コアラップ３２１の外側縁３２１Ｅは、吸収コア３１の非肌対向面側Ｔ２又は吸収コア３１の外側縁よりも幅方向外側に配置されていてよい。換言すると、第１コアラップ３２１の外側縁３２１Ｅは、吸収コア３１の肌対向面側Ｔ１に配置されなくてよい。吸収性物品の肌対向面にコアラップの外側縁による段差を形成せずに、吸収性物品の肌対向面を平滑な状態に維持しやすい。着用者は、表面シート１１上を触った際にコアラップの有無による段差を感じ難く、滑らかで肌に優しいイメージを得やすくなる。
【０１１０】
吸収コア３１は、部分的に圧縮されてなく、吸収材料の密度が一定であってよい。圧縮によって硬くなった箇所が吸収コアに設けられていないため、吸収コア３１が配置された領域全体が柔らかくなる。着用者は、吸収コアの柔らかさを感じ易く、装着感に対する期待感を得やすい。
【０１１１】
吸収コア３１は、目付が異なる複数の領域を有し、当該目付が異なる領域は、段階的に目付が変化するように構成されていてもよい。複数の領域において段階で目付が変化するため、吸収性物品の肌対向面に複数の凹凸が形成される。着用者は、指でなぞった際に吸収コアの凹凸によって膨らみを感じ易い。また、吸収コアは、目付の変化する境界を基点に変形し易く、装着時に身体の動きに追従して柔軟に変形し易くなる。よって、吸収コアが身体の動きに追従するため、装着感が向上する。
【０１１２】
（９）比較評価
次いで、本願発明に係る表面シートの不織布の性能を確認するため、本発明に係る不織布（実施例）と、本発明の構成を有しない不織布（比較例）とを比較評価する実験を行った。比較評価の実験は、実施例と比較例とについて、不織布の粗滑感を評価するために不織布の表面摩擦や粗さについての表面特性を調べる共に、不織布の硬軟感を評価するために不織布の厚さ方向の圧縮特性を調べ、比較した。実施例に係る不織布と比較例に係る不織布は、繊維径が異なる。実施例の不織布は、第１層の繊維径が第２層よりも細い。比較例の不織布は、第１層の繊維径が第２層よりも太い。
【０１１３】
表面特性の試験については、カトーテック（株）製の自動化表面試験機 ＫＥＳ‐ＦＢ４ ＡＵＴＯ‐Ａを用いて、各サンプルの１００ｍｍ×１００ｍｍの範囲を、０．５ｍｍ径のピアノ線で巻かれた１０ｍｍ×１０ｍｍの端子に２５ｇの荷重をかけ、１．０ｍｍ／ｓｅｃの速さで滑らせることによって表面特性を測定した。測定結果により、平均摩擦係数ＭＩＵ、その標準偏差ＭＭＤ、表面粗さの平均偏差ＳＭＤ［μｍ］を求めた。比較評価の結果を表１に示す。MMDは、表面のざらつきの指標となり、値が大きいほどざらざらしていることを示す。SMDは、表面の粗さの指標となり、値が大きいほど凸凹していることを示す。
【０１１４】
【表１】
0006411309.tif 000002
【０１１５】
MMDの値が実施例のほうが比較例よりも小さいため、表面のざらつきに優れていることを意味している。またSMDの値が実施例の方が比較例よりも明らかに小さいため、不織布表面の凹凸が少ない。よって表面がより粗くないことが示している。凹凸がないことにより、指に面であたり続けやすくなり、かつざらつかないことにより、表面が滑らかに感じることができる。
【０１１６】
本測定は製品長手方向に対しての評価結果である。以上の結果より第1層目の繊維径が細いことにより、ざらつかず、粗くない。つまり、表面がなめらかであることが言える。よって表面を触って固定していく工程において、長手方向（MD方向）に製品を指でなぞって固定していくことから表面が滑らかに仕上げられていることが証明されている
【０１１７】
次いで、吸収性物品の装着時の触り心地と使用中のよれ及び心地よさの比較評価について説明する。表２は、比較評価結果を示す。比較評価の試験では、実施例１及び２の吸収性物品と、比較例１〜５の吸収性物品と、を比較して、装着時の触り心地、使用中のよれ、及び使用中の表面の心地よさについて評価した。実施例１及び実施例２の吸収性物品と、比較例１〜４の吸収性物品と、は、表面シートの第１層及び第２層を構成する繊維の径が異なるが、その他の構成が同じである。実施例と比較例の構成の差異は、表２に示す。実施例１及び実施例２の吸収性物品と、比較例５の吸収性物品と、は、吸収コアの形状及び表面シートの第１層及び第２層を構成する繊維の径が異なるが、その他の構成が同じである。比較例５の吸収性物品は、後側域に低目付部と高目付部とが設けられてなく、後側域の目付が一定である。
【０１１８】
【表２】
0006411309.tif 000003
【０１１９】
比較評価の試験は、ナプキンを使用している女性１００名が実施した。評価試験では、実施者に、対象となるサンプルを触ってもらうとともに、一晩使用してもらい、以下の質問をした。
【０１２０】
質問１「普段使用しているナプキンと比べて、肌ざわりがソフトですか？」。当該質問１に対して「肌触りが心地よい、肌触りがやさしい、ふわふわして気持ち良い」と答えた人数の比率が７０％以上のサンプルを官能評価が良好であり、○と評価した。また、質問１に対して「肌触りが心地よい、肌触りがやさしい、ふわふわして気持ち良い」と答えた人数の比率が７０%未満のサンプルを官能評価が良好でなく、×と評価した。 
【０１２１】
質問２「普段使用しているナプキンと比べて、装着中によれることはなかったか（型崩れすることはなかったか）」。当該質問２に対する答えが、「よれなかった」又は「安心して使えた」と答えた人数の比率が７０％以上のサンプルを官能評価が良好であり、○と評価した。また、質問２に対して「よれなかった」又は「安心して使えた」と答えた人数の比率が７０%未満のサンプルを官能評価が良好でなく、×と評価した。
【０１２２】
質問３「普段使用しているナプキンと比べて、装着中のつけ心地はよいか」。当該質問３に対して「使い心地がよかった」又は「フィットし心地が良い」と答えた人数の比率が７０％以上のサンプルを官能評価が良好であり、○と評価した。また、質問３に対して「使い心地がよかった」又は「フィットし心地が良い」と答えた人数の比率が７０%未満のサンプルを官能評価が良好でなく、×と評価した。
【０１２３】
当該評価結果により、第１層の繊維径が２．０ｄｔｅｘ以下であり、かつ第２層の繊維径が１層目の繊維径よりも太いことが好ましいことがわかった。より詳細には第１層の繊維径が2.0ｄｔｅｘ以下、かつ第２層の繊維径が１層目の繊維径よりも太いことにより、装着時の触り心地と使用中の心地よさが得られることがわかった。また、本願発明の吸収体の形状によれば、使用中によれないことがわかった。
【０１２４】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【符号の説明】
【０１２５】
１        ：吸収性物品
１０      ：肌面シート
１１      ：表面シート
１１１    ：第１層
１１２    ：第２層
１２      ：サイドシート
１５      ：フラップシート
２０      ：非肌面シート
３０      ：吸収体
３１      ：吸収コア
３２      ：コアラップ
３２１    ：第１コアラップ
３２２    ：第２コアラップ
４１      ：第１低目付部
４２      ：第２低目付部
４３      ：第３低目付部
４５      ：高目付部
６１      ：第１本体粘着部
６２      ：第２本体粘着部
６３      ：ウイング粘着部
６４      ：ヒップフラップ粘着部
８１      ：前側圧搾部
８２      ：長手圧搾部
８４      ：後側圧搾部
Ｌ        ：前後方向
Ｗ        ：幅方向
Ｔ        ：厚み方向
Ｓ１      ：股下域
Ｓ２      ：前側域
Ｓ３      ：後側域
ＣＬ      ：中心線
【図１】
0006411309.tif 000004
【図２】
0006411309.tif 000005
【図３】
0006411309.tif 000006
【図４】
0006411309.tif 000007
【図５】
0006411309.tif 000008
【図６】
0006411309.tif 000009